(57)【特許請求の範囲】
【請求項１】
連続フォームを所定のピッチ毎に幅方向に切断して単位フォームが形成され、
上記単位フォームから得られる宛名記載欄および個別情報一括記載欄を形成した表紙用フォームと、前納用個別情報記載欄を形成した前納用フォームと、月別あるいは期別の個別情報記載欄を形成した複数枚の月別（期別）納入用フォームとを重ね合せる一方、
前記表紙用フォーム、前納用フォームおよび月別納入フォームの各フォーム重ね合せ部の一側辺部に綴じ代を形成し、
前記各フォームを重ね合せた綴じ代に、表紙用フォームを除いて小孔を所要間隙をおいて穿設し、小孔を形成した綴じ代に感圧型接着剤あるいは熱可塑性接着剤等の接着剤を少なくとも片面に塗布して前記綴じ代を接着剤により綴じ合せ、
重ね合された各フォームの綴じ代部分を押し潰しながら挟圧接着させ、上記綴じ代部分の厚さを各フォーム重ね合せ部の厚さとほぼ等しく形成したことを特徴とする小冊子。
【請求項２】
所要の個別情報が印字処理された連続フォームを所定のピッチ毎に幅方向に切断して単位フォームが形成され、
上記単位フォームから得られる宛名記載欄および個別情報一括記載欄を形成した表紙用フォームと、前納用個別情報記載欄を形成した前納用フォームと、月別あるいは期別の個別情報記載欄を形成した複数枚の月別（期別）納入用フォームとを重ね合せて構成し、
上記単位フォームは紙送り用パンチングホールを形成したマージナルゾーンの一方を綴じ代に構成し、
前記表紙用フォームおよび月別納入用フォームの各フォーム重ね合せ部の一側辺部に形成される綴じ代に感圧型接着剤あるいは熱可撓性接着剤等の接着剤を少なくとも片面に塗布し、上記綴じ代を接着剤により綴じ合せ、
重ね合された各フォームの綴じ代部分を押し潰しつつ挟圧接着させて上記綴じ代部分の厚さを各フォーム重ね合せ部の厚さとほぼ等しく形成したことを特徴とする小冊子。
【請求項３】
所要の個別情報が印字処理された連続フォームを所定のピッチ毎に幅方向に切断して得られる単位フォームで前記表紙用フォーム、前納用フォームおよび月別納入フォームを構成し、上記単位フォームは紙送り用パンチングホールを形成したマージナルゾーンに形成されたパンチングホールあるいはパンチング拡大ホールに感圧型接着剤あるいは熱可撓性接着剤等の接着剤を含浸させ、重ね合された各フォームの綴じ代部分を潰しつつ挟圧接着させた請求項１または２記載の小冊子。
【請求項４】
連続フォームの所要の個別情報記載欄に個別情報の印字処理を行ない、個別情報が印字処理された連続フォーム上で、単位フォームを構成する前納用フォームおよび月別納入フォームの綴じ代部分に接合補強用小孔を所要間隔をおいて列状に穿設し、その後、前納用フォームおよび月別納入フォームの綴じ代部分の少なくとも片面に接着剤を塗布してのり代を形成する一方、
前記連続フォームを所定のピッチ毎に幅方向に切断して得られる単位フォームで表紙用フォーム、前納用フォームおよび月別（期別）納入フォームをそれぞれ形成し、
前記表紙用フォーム、前納用フォームおよび月別納入フォームを重ね合せて揃え、
揃えられた各フォームののり代部分を、残りのフォーム重ね合せ部の厚さと等しくなるように加圧力を調整して綴じ代部分を押し潰しながら接合し、上記綴じ代部分の厚さを各フォーム重ね合せ部の厚さとほぼ等しい小冊子を製造することを特徴とする小冊子の製造方法。
【請求項５】
連続フォームの所要の個別情報記載欄に個別情報の印字処理を行ない、
個別情報が印字処理された上記連続フォームのマージナルゾーンの一方を綴じ代に構成し、この綴じ代部分の少なくとも片面に感圧型接着剤あるいは熱可塑性接着剤等の接着剤を塗布してのり代を形成し、
前記連続フォームを所定のピッチ毎に幅方向に切断して得られる単位フォームで表紙用フォーム、前納用フォームおよび月別（期別）納入フォームをそれぞれ形成し、
前記表紙用フォーム、前納用フォームおよび月別納入フォームを重ね合せて揃え、
揃えられた各フォームののり代部分を、残りのフォーム重ね合せ部の厚さと等しくなるように加圧力を調整して綴じ代部分を押し潰しながら接合し、上記綴じ代部分の厚さを各フォーム重ね合せ部の厚さとほぼ等しい小冊子を製造することを特徴とする小冊子の製造方法。
【請求項６】
連続フォームの少なくとも一方のマージナルゾーンに形成された紙送り用パンチングホールあるいはパンチング拡大ホールに感圧型接着剤あるいは熱可撓性接着剤等の接着剤を含浸させ、マージナルゾーンにのり代を形成する請求項５記載の小冊子の製造方法。
【発明の詳細な説明】
【０００１】
【発明の属する技術分野】
本発明は、国民年金保険料や国民健康保険料等の納入通知書、市民税・特別区民税・都民税等の納税通知書等として用いられる小冊子およびその製造方法に関する。
【０００２】
【従来の技術】
この種の小冊子は、国民年金保険料や国民健康保険料等の納入通知書、市民税・県民税、特別区民税・都民税や固定資産税等の納税通知書等に用いられる。この小冊子は、所要事項が印刷された連続フォームに個別情報印字装置を用いて個別情報を印字処理した後、連続フォームを所定ピッチ毎に幅方向に切断して種々の単位フォームを構成している。
【０００３】
個々の単位フォームは表紙用フォームと前納用フォームと複数枚の月別（期別）納入用フォームとに大別され、所要の単位フォームを所定枚数ずつ重ね合せ、重ね合された各単位フォームの綴じ代をホッチキスで紙綴じして小冊子を製造し、この小冊子を個人や法人別の納入通知書あるいは納税通知書として利用している。
【０００４】
【発明が解決しようとする課題】
従来の個人別あるいは法人別の納入通知書あるいは納税通知書は、所要枚数の単位フォームを重ね合せ、一側に形成された綴じ代をホッチキスで紙綴じして小冊子状に形成しているが、ホッチキスによる紙綴じはコ字状金具を留め金具として用いて行なわれているために、綴じ代部の厚さが綴じ代部以外のフォーム重ね合せ部の厚さより厚くなる。
【０００５】
このため、個人別の納入通知書あるいは納税通知書を積み上げていくと積み重ね状態で平坦とならず、厚さの相違に基づいて型崩れが生じ易く、納入通知書あるいは納税通知書の取扱いが面倒で煩雑であったり、また、重ね合された各単位フォームの綴じ代をホッチキスで綴着する作業が手作業で行なわれるために、手間隙がかかったり、深夜までの作業を強いられ、作業員の負担が大きく、作業の能率化を図る上で問題があった。
【０００６】
また、従来の納入通知書あるいは納税通知書の小冊子は、ホッチキスで紙綴じを行なっており、綴じ代に留め金具が用いられているため、不要となった小冊子の処理、例えばシュレッダ処理に困難性を伴ったり、普通ゴミとして出すことができず、ゴミ対策上問題があった。
【０００７】
本発明は上述した事情を考慮してなされたもので、所要枚数の納入通知書や納税通知書を簡単かつ容易に製造することができ、ホッチキスによる紙綴じを不要とし、取扱いが容易で環境に優しい小冊子およびその製造方法を提供することを目的とする。
【０００８】
本発明の他の目的は、納入通知書あるいは納税通知書を平坦状態を保って積み重ねることができ、取扱いが容易で作業能率を向上させることができる小冊子およびその製造方法を提供するにある。
【０００９】
本発明のさらに他の目的は、所要枚数の単位フォームの紙綴じにホッチキスを不要とし、作業者の負担を軽減させる一方、後処理が容易な小冊子およびその製造方法を提供するにある。
【００１０】
【課題を解決するための手段】
本発明に係る小冊子は、上述した課題を解決するために、請求項１に記載したように、連続フォームを所定のピッチ毎に幅方向に切断して単位フォームが形成され、上記単位フォームから得られる宛名記載欄および個別情報一括記載欄を形成した表紙用フォームと、前納用個別情報記載欄を形成した前納用フォームと、月別あるいは期別の個別情報記載欄を形成した複数枚の月別（期別）納入用フォームとを重ね合せる一方、前記表紙用フォーム、前納用フォームおよび月別納入フォームの各フォーム重ね合せ部の一側辺部に綴じ代を形成し、前記各フォームを重ね合せた綴じ代に、表紙用フォームを除いて小孔を所要間隙をおいて穿設し、小孔を形成した綴じ代に感圧型接着剤あるいは熱可塑性接着剤等の接着剤を少なくとも片面に塗布して前記綴じ代を接着剤により綴じ合せ、重ね合された各フォームの綴じ代部分を押し潰しながら挟圧接着させ、上記綴じ代部分の厚さを各フォーム重ね合せ部の厚さとほぼ等しく形成したものである。
【００１１】
また、本発明に係る小冊子は、上述した課題を解決するために、請求項２に記載したように、所要の個別情報が印字処理された連続フォームを所定のピッチ毎に幅方向に切断して単位フォームが形成され、上記単位フォームから得られる宛名記載欄および個別情報一括記載欄を形成した表紙用フォームと、前納用個別情報記載欄を形成した前納用フォームと、月別あるいは期別の個別情報記載欄を形成した複数枚の月別（期別）納入用フォームとを重ね合せて構成し、上記単位フォームは紙送り用パンチングホールを形成したマージナルゾーンの一方を綴じ代に構成し、前記表紙用フォームおよび月別納入用フォームの各フォーム重ね合せ部の一側辺部に形成される綴じ代に感圧型接着剤あるいは熱可撓性接着剤等の接着剤を少なくとも片面に塗布し、上記綴じ代を接着剤により綴じ合せ、重ね合された各フォームの綴じ代部分を押し潰しつつ挟圧接着させて上記綴じ代部分の厚さを各フォーム重ね合せ部の厚さとほぼ等しく形成したものである。
【００１４】
さらにまた、上述した課題を解決するために、本発明に係る小冊子は、請求項３に記載したように、所要の個別情報が印字処理された連続フォームを所定のピッチ毎に幅方向に切断して得られる単位フォームで前記表紙用フォーム、前納用フォームおよび月別納入フォームを構成し、上記単位フォームは紙送り用パンチングホールを形成したマージナルゾーンに形成されたパンチングホールあるいはパンチング拡大ホールに感圧型接着剤あるいは熱可撓性接着剤等の接着剤を含浸させ、重ね合された各フォームの綴じ代部分を潰しつつ挟圧接着させたものである。
【００１５】
本発明に係る小冊子の製造方法は、上述した課題を解決するために、請求項４に記載したように、連続フォームの所要の個別情報記載欄に個別情報の印字処理を行ない、個別情報が印字処理された連続フォーム上で、単位フォームを構成する前納用フォームおよび月別納入フォームの綴じ代部分に接合補強用小孔を所要間隔をおいて列状に穿設し、その後、前納用フォームおよび月別納入フォームの綴じ代部分の少なくとも片面に接着剤を塗布してのり代を形成する一方、前記連続フォームを所定のピッチ毎に幅方向に切断して得られる単位フォームで表紙用フォーム、前納用フォームおよび月別（期別）納入フォームをそれぞれ形成し、前記表紙用フォーム、前納用フォームおよび月別納入フォームを重ね合せて揃え、揃えられた各フォームののり代部分を、残りのフォーム重ね合せ部の厚さと等しくなるように加圧力を調整して綴じ代部分を押し潰しながら接合し、上記綴じ代部分の厚さを各フォーム重ね合せ部の厚さとほぼ等しい小冊子を製造する方法である。
【００１７】
また、上述した課題を解決するために、本発明に係る小冊子の製造方法は、請求項５に記載したように、連続フォームの所要の個別情報記載欄に個別情報の印字処理を行ない、個別情報が印字処理された上記連続フォームのマージナルゾーンの一方を綴じ代に構成し、この綴じ代部分の少なくとも片面に感圧型接着剤あるいは熱可塑性接着剤等の接着剤を塗布してのり代を形成し、前記連続フォームを所定のピッチ毎に幅方向に切断して得られる単位フォームで表紙用フォーム、前納用フォームおよび月別（期別）納入フォームをそれぞれ形成し、前記表紙用フォーム、前納用フォームおよび月別納入フォームを重ね合せて揃え、揃えられた各フォームののり代部分を、残りのフォーム重ね合せ部の厚さと等しくなるように加圧力を調整して綴じ代部分を押し潰しながら接合し、上記綴じ代部分の厚さを各フォーム重ね合せ部の厚さとほぼ等しい小冊子を製造する方法である。
【００１８】
さらに、上述した課題を解決するために、本発明に係る小冊子の製造方法は、請求項６に記載したように、連続フォームの少なくとも一方のマージナルゾーンに形成された紙送り用パンチングホールあるいはパンチング拡大ホールに感圧型接着剤あるいは熱可撓性接着剤等の接着剤を含浸させ、マージナルゾーンにのり代を形成する方法である。
【００２０】
【発明の実施の形態】
本発明に係る小冊子およびその製造方法の一実施形態について添付図面を参照して説明する。
【００２１】
図１は小冊子の製造方法を系統的に示す簡略図である。図中符号１０は給紙ロールであり、この給紙ロール１０からの連続長尺用紙１１は印刷装置１２に供給されるようになっている。印刷装置１２は、連続長尺用紙１１から連続フォーム１３を形成する連続フォーム形成装置１４と、形成された連続フォーム１３に個別情報記載欄等を形成するために所要の印刷を施すフォーム印刷装置１５と、印刷された連続フォーム１３の綴じ代部分に感圧型接着剤あるいは熱可撓性接着剤等の接着剤を塗布する接着剤塗布装置１６と、連続フォーム１３のとじ込み部分に塗布された接着剤を乾燥させるために、必要に応じて設けられた接着剤乾燥装置１７とを有する。
【００２２】
連続フォーム形成装置１４は、連続長尺用紙１１に図示しないバースタローラにて図２に示すようにバースティング用ミシン目１９を刻設して両側にマージナルゾーン２０を形成する。マージナルゾーン２０は両側合せて例えばゾーン幅１インチ程度を有し、上記マージナルゾーン２０に紙送り用パンチングホール２１が列状に多数形成される。一方、連続長尺用紙１１は長手方向の所定ピッチ毎にバースディング用ミシン目２２が幅方向に刻設され、図２に示す連続フォーム１３が形成される。連続フォーム１３は、幅方向のバースティング用ミシン目１９により各単位フォーム２３，２４を画成しており、各単位フォーム２３，２４を長手方向に順次連接して連続フォーム１３が構成される。
【００２３】
連続フォーム１３から、例えば国民年金保険料、国民健康保険料等の納入通知書のように１６枚綴りあるいは１４枚綴りの小冊子を形成する場合には、表紙フォーム用の単位フォーム２３を除く単位フォーム２４に２条のバースティング用ミシン目２５を長手方向（天地方向）に刻設し、各単位フォーム２４を３つの小片に切離し可能に構成する。２条のバースティング用ミシン目２５を刻設した各単位フォーム２４にはミシン目が綺麗に刻設されるようにガイド孔２６が形成される一方、小片綴じ込み整理用のファイル孔２７が穿設される。
【００２４】
連続フォーム１３から、地方税（市民税・県民税，特別区民税・都民税，市民税・府民税，事業税等）や国税の納税通知書のように、４枚綴りないし１３枚綴りの小冊子の場合には、表紙フォーム用の単位フォーム２３を除く各単位フォーム２４に２条のバースティング用ミシン目２５やガイド孔２６およびファイル孔２７が同様にしてそれぞれ穿設される。
【００２５】
連続フォーム形成装置１４で形成された連続フォーム１３はフォーム印刷装置１５にて所要の印刷が施される。連続フォーム１３に２色あるいはフルカラーの印刷を施す場合には、連続フォーム１３の長手方向にシリーズに列状に配設された２台あるいは４台のフォーム印刷装置１５が使用される。４台のフォーム印刷装置１５を用いる場合には、例えば黒色，赤色，青色，黄色のインクが用いられる。フォーム印刷装置１５はいずれも本出願人の出願に係る特願昭５７−５７２８１号明細書および図面，実開昭６２−１２６９６９号公報，特公平４−５９１５７号公報，特開平５−１６９８８０号公報等に開示されたロータリプレスタイプの印刷装置である。
【００２６】
フォーム印刷装置１５は、図１に示すように、プレートシリンダ３０とガイドシリンダ３１との間に掛け渡された無端可撓性フィルム状の印刷プレート３２を有する。この印刷プレート３２は樹脂材料製のプレートであり、光学的・化学的処理（フォトレジスト処理等）により形成され、フォーマットがそれぞれ異なる各単位フォーム２３，２４の印刷版が帯状に連続して一体に形成される。この帯状印刷フォーム３２の両端を接合して無端状に構成される。
【００２７】
無端可撓性フィルム状の印刷プレート３２にインクロール３３によりインクが塗布され、塗布されたインクは連続フォーム１３上に押圧シリンダ３４により押圧されて転写され、上記印刷プレート３２により連続フォーム１３に所要の印刷が図３に示すように施される。
【００２８】
図３は連続フォーム１３を国民年金保険料の納入通知書として使用する例を示す。この連続フォーム１３には表紙用単位フォーム２３を除く各単位フォーム２４に綴じ代３６が少なくとも片面の一側に形成される。この綴じ代３６は、連続フォーム１３の一方のマージナルゾーン２０に近接して設けられ、綴じ代３６に接着剤塗布装置１６により接着剤が帯状に塗布される。このようにして、帯状の綴じ代３６はのり代として形成される。
【００２９】
接着剤には、カゼイン、にかわ、デンプンのり、ユリア樹脂、メラニン樹脂、エポキシ系およびシアノアクリート系がある。接着剤としては、ゴム状高分子を主成分とする感圧型接着剤、あるいは、熱可撓性接着剤が好ましくは用いられる。感圧型接着剤は押圧により粘性流動を起こし、圧力除去により固着する接着剤である。
【００３０】
接着剤が塗布された連続フォーム１３は、印刷装置１２から取り出され、ジグザグ状に折り畳まれて収納装置としての例えば収納ボックス３８に収納され、搬送に供される。連続フォーム１３を収納ボックス３８に収納する代りに、冊子製造装置４０に直接送るようにしてもよい。冊子製造装置４０を印刷装置１２の下流側に隣接して設置してもよい。
【００３１】
冊子製造装置４０は、所要の印刷が施された連続フォーム１３が案内される個別情報印字装置４４とこの印字装置４４で個別情報が印字された連続フォーム１３を各単位フォーム２３，２４に順次切断するフォーム切断装置４５と、このフォーム切断装置４５で切断された単位フォーム２３，２４を所要枚数ずつ重ね合せて整える整列装置４６と、整列装置４６で整えられた各単位フォーム２４の綴じ代３６を接合させるフォーム接合装置４７とを有し、このフォーム接合装置４７で所要枚数ずつの単位フォーム２３，２４が重ね合せ状態で接合されて綴じ合せられ、小冊子４８が製造される。
【００３２】
個別情報印字装置４４は連続フォーム１３の印字に必要な個別情報がインプットされたコンピュータ（図示せず）に接続されており、このコンピュータからの出力により個別情報印字装置４４は連続フォーム１３の所要箇所に個別情報が自動的に印字されるようになっている。
【００３３】
個別情報印字装置４４はコンピュータに連係して作動され、連続フォーム１３に、各単位フォーム２３，２４毎の個別情報を印字するようになっている。例えば、表紙用フォームとしての表紙用単位フォーム２３の宛名記載欄５０や個別情報一括記載欄５１には住所・氏名や個別情報（１年前金額，半年前金額，月別金額や納期限等）が印字される。表紙用フォーム２３に隣接する前納用フォーム２４や月別（あるいは期別）納入用フォーム２４はバースティング用ミシン目２５により領収証書，納付書兼納入済通知書および原符用の小片２４ａ，２４ｂ，２４ｃに切離し自在に区画され、各前納用フォーム２４や月別納入フォーム２４の各小片２４ａ，２４ｂ，２４ｃにも個別情報印字装置４４により氏名，納付期間，納付金額，納期限等の個別情報が所要の個別情報記載欄５２に自動的に印字されるようになっている。
【００３４】
連続フォーム１３を例えば国民年金保険料納入通知書として用いる場合には、連続フォーム１３は表紙用フォーム２３と、全納用，半納用（前納），半納用（後期）の３枚の前納用フォーム２４と、１２枚の月別納入フォーム２４との１６種類の単位フォーム毎にユニット化され、各ユニット毎に繰り返すように連接されている。１６種類の単位フォーム２３，２４に予備用単位フォームを加えて１７種類毎にユニット化してもよく、また、前納用フォーム２４が全納用のみで足る場合には、１４種類あるいは予備用を含めて１５種類毎にユニット化される。
【００３５】
個別情報印字装置４４で個別情報が印字された連続フォーム１３はフォーム切断装置４５で幅方向に延びるバースティング用ミシン目２２に沿って切断され、各単位フォーム２３，２４が形成される。各単位フォーム２３，２４は整列装置４６で重ね合せられ、例えば１６枚ずつ揃えられる。揃えられた各単位フォーム２３，２４は、フォーム接合装置４７により綴じ代３６に沿って接合され、１６枚綴りの小冊子４８が図４に示すように製造される。この小冊子４８は収納ボックス５４等の収納装置に貯えられたり、また、各個人毎に発送せしめられるように図示しない窓付き封筒内に封入される。なお、小冊子４８を製造する際、フォーム切断装置４５でバースティング用ミシン目１９に沿って切断し、マージナルゾーン２０を切り離すようにしてもよい。
【００３６】
小冊子４８を製造する際、各単位フォーム２３，２４の綴じ代３６に感圧型接着剤や熱可撓性接着剤が塗布されている場合には、対をなす押圧ローラ５５で綴じ代部分を潰しながら加圧して挟着し、小冊子４８は図４に示すように、綴じ代部分の厚さｔが残りの冊子厚さＴと等しくなるように、加圧力が調整される。小冊子４８の綴じ代部分を押し潰しながら接合させることにより、綴じ代部分が凹むことなく、小冊子４８は全面にわたり面一の表面を構成することができる。小冊子４８は全面に亘って厚さのバラツキをなくしたり、バラツキを極めて小さく抑えることができる。したがって、小冊子４８を多数積み上げたとき、高さのバラツキがないため、型崩れせず、取扱いが容易となり、小冊子４８を安定的にスムーズに積み重ね、積み上げることができる。
【００３７】
図５は、本発明の第２実施形態を示す図である。
【００３８】
この実施形態に示された連続フォーム１３Ａは表紙用フォーム２３を除く各単位フォーム２４に形成される綴じ代３６に０．５mmφ〜３mmφ程度、好ましくは１mmφ以下の小孔５６を列状に所定の間隔をおいて穿設し、これらの小孔を穿設した綴じ代３６に感圧型接着剤、熱可撓性接着剤等の接着剤を塗布したものである。小孔５６を形成した後に、綴じ代３６に接着剤を塗布すると、接着剤が小孔５６内に含浸され、フォーム接合装置４７で重ね合された各単位フォーム２３，２４を挟圧接着させて接合させる際、接合強度を高めることができる。
【００３９】
また、連続フォーム１３Ａの各単位フォーム２３，２４の綴じ代３６に形成される小孔５６はパンチ孔に代えてミシン目で刻設してもよい。さらに、連続フォーム１３Ａのバースティング用ミシン目１９上に間隔をおいて切込みを入れ、この切込みに接着剤を含浸させてもよい。他の構成は図３に示される連続フォーム１３と異ならない。
【００４０】
図６は、本発明の第３実施形態を示す図である。
【００４１】
この実施形態に示された連続フォーム１３Ｂは表紙用フォーム２３を除く各単位フォーム２４のマージナルゾーン２０を綴じ代２０ａに形成し、このマージナルゾーン２０の綴じ代２０ａに接着剤を塗布したものである。マージナルゾーン２０に綴じ代２０ａを形成し、この綴じ代２０ａをのり代として構成した場合、綴じ代２０ａ側のマージナルゾーン２０にスリッタ線であるバースティング用ミシン目１９を必ずしも刻設しなくてもよい。
【００４２】
この場合にも、マージナルゾーン２０には紙送り用パンチングホール２１が形成されているので、接着剤の塗布により、パンチングホール２１から各単位フォーム２４内に接着剤が含浸されるので、挟圧接着させた際、接合強度を向上させることができる。
【００４３】
図７は、本発明の第４実施形態を示す図である。
【００４４】
この実施形態に示された連続フォーム１３Ｃは、表紙用フォーム２３を除く各単位フォーム２４のマージナルゾーン２０と異なる点は、紙送り用パンチングホール２１とこのパンチングホール２１より大径の接合孔５８を交互に列状に形成し、マージナルゾーン２０の接合孔５８に接着剤をスポット的に含浸させ、各単位フォーム２３，２４を重ね合せ挟圧接着させて小冊子を製造したものである。接合孔５８は紙送り用パンチングホール２１と必ずしも交互でなくてもよく、種々の変形が考えられる。
【００４５】
また、本発明の各実施形態においては、接着剤を用いて小冊子を製造する例を示したが、接着剤やホッチキスを用いることなく小冊子を製造することができる。例えば、連続フォームをフォーム切断装置で各単位フォームに切断し、所要枚数の各単位フォームを重ね合せて揃えた後、重ね合された各単位フォームの一側綴じ代を側辺に沿ってパンチ、ダイス等でプレスして各単位フォームを凹凸塑性変形させて機械的に凹凸接合（嵌合）させ、この凹凸接合により、各単位フォームの綴じ代を相互に接合させ、小冊子を形成してもよい。この場合、接着剤やホッチキスのコ字状金具が全く不要となるので、後処理が容易となる。
【００４６】
さらに、機械的凹凸接合（嵌合）により重ね合された各単位フォームの四辺を接合した場合には、封書を製造することもできる。封書を製造する場合には、連続フォームの表紙用の単位フォームには宛名だけの個別情報記載欄を形成するだけでよい。
【００４７】
また、本発明の各実施形態では、連続フォームから国民年金保険料の納付通知書の小冊子を形成した例を示したが、この小冊子は納付通知書に限定せず、納税通知書にも適用でき、さらに、個別情報を個々に処理し、小冊子を形成するものに適用することができる。
【００４８】
【発明の効果】
以上に述べたように、本発明に係る小冊子およびその製造方法においては、コ字状金具を用いたホッチキスによる紙綴じを不要とし、接着剤あるいは機械的凹凸接合により綴じ代部を綴じ合せ、小冊子を製造することができる。しかも小冊子は綴じ代部の厚さが残りのフォーム重ね合せ部の厚さと等しくなるように形成したので、小冊子の積み重ね状態で平坦となり、取扱いが容易で型崩れを有効的に防止することができ、作業員の負担を軽減し、作業の能率化を図ることができる。
【００４９】
また、本発明に係る小冊子は、綴じ代に留め金具が用いられておらず、不要になった小冊子の処理をシュレッダにて直接処理も可能となり、普通ゴミとして出すこともでき、後処理が容易で環境に優しい小冊子を提供することができる。
【図面の簡単な説明】
【図１】本発明に係る小冊子を製造する装置の一例を示す図。
【図２】図１の小冊子製造装置に用いられる連続フォームを示す平面図。
【図３】本発明の第１実施形態を示すもので、図２に示す連続フォームに所要の印刷を施した状態を示す平面図。
【図４】図３に示す連続フォームから製造される小冊子を示す斜視図。
【図５】本発明の第２実施形態を示す連続フォームの平面図。
【図６】本発明の第３実施形態を示す連続フォームの平面図。
【図７】本発明の第４実施形態を示す連続フォームの平面図。
【符号の説明】
１０  給紙ロール
１１  連続長尺用紙
１２  印刷装置
１３  連続フォーム
１４  連続フォーム形成装置
１５  フォーム印刷装置
１６  接着剤塗布装置
１７  接着剤乾燥装置
１９  バースティング用ミシン目
２０  マージナルゾーン
２２  バースティング用ミシン目
２３，２４  単位フォーム
２５  バースティング用ミシン目
２６  ガイド孔
２７  ファイル孔
３０  プレートシリンダ
３１  ガイドシリンダ
３２  印刷プレート
３３  インクロール
３４  押圧シリンダ
３６  綴じ代
３８  収納ボックス
４０  冊子製造装置
４４  個別情報印字装置
４５  フォーム切断装置
４６  整列装置
４７  フォーム接合装置
４８  小冊子
５０  宛名記載欄
５１  個別情報一括記載欄
５２  個別情報記載欄
５４  収納ボックス
【図１】
0003884122.tif 000002
【図２】
0003884122.tif 000003
【図３】
0003884122.tif 000004
【図４】
0003884122.tif 000005
【図５】
0003884122.tif 000006
【図６】
0003884122.tif 000007
【図７】
0003884122.tif 000008